(57)【要約】      （修正有）【課題】筒の両端の開口部をアルミ箔で覆いこれに金属製のカップ状キヤップを被せ、筒内部に配置した板状可溶体の根元及び消弧剤中にはんだの垂れ下がりやはんだ屑を生じさせない筒形ヒュ−ズの提供。【解決手段】筒１の一端の開口部をこれの直径に合致するような厚さ０．０６ｍｍ以下のアルミ箔で覆い封止させ、この状態で一方の金属製のカップ状キャップ２を被せ筒と接着後、この金属製カップ状キャップの端面の中央の矩形穴から可溶体３を挿通させ、この一端をはんだ付け接合するとともに筒の他方の開口部より消弧剤４を充填し、筒開口部と可溶体の他端も同様にアルミ箔片２０ａで覆い、他方の金属製のカップ状キャップ２を被せ筒１と接着し、可溶体３とキャップ２のはんだ付け接合をアルミ箔を介して封止した筒形ヒューズを構成する。【選択図】図５
0003120271.tif 000002
【実用新案登録請求の範囲】
【請求項１】
耐熱性絶縁材の筒とこの筒内に配置された可溶体とその周囲に充填された消弧剤とさらに前記筒の両端部を外側から良導体金属製のカップ状キヤップで固着して構成される筒形ヒューズにおいて、筒の一端の開口部をこれの直径に合致するような厚さ０．０６ｍｍ以下のアルミ箔で覆い封止させ、この状態で一方の良導体金属製のカップ状キヤップを被せ筒と接着後、この良導体金属製のカップ状キヤップの端面の中心の矩形穴から可溶体を挿通させ、この一端をはんだ付け接合するとともに前記筒の他方の開口部より消弧剤を充填し、この筒開口部と可溶体の他端も前記同様アルミ箔で覆い、他方の良導体金属製のカップ状キヤップを被せ筒と接着し、可溶体とキヤップのはんだ付け接合をアルミ箔を介して封止した筒形ヒューズ。
【考案の詳細な説明】
【技術分野】
【０００１】本考案は主として６００Ｖ以下の電気回路に使用されるものの内、筒内に可溶体を消弧剤とともに配置してなる定格電流が６０Ａクラスの高遮断容量をもつ筒形ヒューズに関する。
【背景技術】
【０００２】従来、このクラスの筒形ヒユ−ズは、定格電流容量が大きいことから可溶体には亜鉛、銀、銅板及びこれらの複合体の板状のものを使用して構成している。公知な組立工程としては、図１のように耐熱性絶縁材からなる筒１直径より大きい内径をもち、その端面の中心部に矩形穴２ａを穿った良導体金属製のカップ状キヤップ２を被せて接着させ、筒１内に板状の可溶体３とこの周囲に消弧剤４を充填し前記良導体金属製のカップ状キヤップ２に可溶体３をはんだ１０ではんだ付け接合して完成させるという方法であった。【０００３】図１の組立工程においては、筒の両端部に接着固定される良導体金属製のカップ状キヤップ２に板状の可溶体３をはんだ１０ではんだ付けするため、構造上から良導体金属製のカップ状キヤップ２の熱容量が大きいことから可溶体３が先に熱伝導し易くなり、可溶体３の根元からはんだが垂れ下がったり、はんだ屑となって筒内の消弧剤４中に比較的大きな異物となって混在することが免れなかった（図４参照）。【０００４】ヒューズ筒内の異物の混在が性能上に及ぼす影響は、その異物の種類、大きさ等により度合いが異なるが、はんだ屑の大きなものの混在では溶断特性や遮断特性に支障をきたし安全上芳しくないという問題があった。
このため、製品中に極端に大きいはんだの垂れ下がりやはんだ屑が混在していないかどうかを判定する検査が不可避とされるものの筒内部はＸ線で透視して確認しなければならないという厄介な問題を抱えていた。【０００５】この検査はいわゆる非破壊検査といわれるもので、コスト面への跳ね返りがあるため極めてコスト高になるという問題もある。
【考案の開示】
【考案が解決しようとする課題】
【０００６】本考案は、従来の技術で生じる組立作業による問題点を解決するためになされたものであり、筒の一端を覆ったアルミ箔に良導体金属製のカップ状キヤップを被せてこれらを接着し、これに板状の可溶体を挿通させ、前記カップ状キヤップと可溶体の一端をはんだ付けし、筒の他方の開口部から消弧剤を充填し、前記同様筒の他端をアルミ箔で覆いこれに良導体金属製のカップ状キヤップを被せ接着しカップ状キヤップと可溶体の他端をはんだ付けすることで筒内部にはんだの垂れ下がりやはんだ屑を生じさせない筒形ヒュ−ズの提供を目的としている。【０００７】本考案の前記並びにそのほかの目的と新規な特徴は次の説明を添付図面と照らし合わせて読むとより完全に明らかになるであろう。
ただし、図面はもっぱら解説のためのものであって、本考案の記述的範囲を限定するものではない。
【課題を解決するための手段】
【０００８】上記の目的を達成するために本考案においては、筒の一端の開口部をこれの直径に合致するような厚さ０．０６ｍｍ以下のアルミ箔で覆い封止させ、この状態で一方の良導体金属製のカップ状キヤップを被せ筒と接着後、この良導体金属製のカップ状キヤップの端面の中心の矩形穴から可溶体を挿通させ、この一端をはんだ付け接合するとともに前記筒の他方の開口部より消弧剤を充填し、筒開口部と可溶体の他端も前記同様アルミ箔で覆い、他方から良導体金属製のカップ状キヤップを被せ筒と接着し、可溶体とキヤップのはんだ付け接合をアルミ箔を介して封止した筒形ヒュ−ズである。
【考案の効果】
【０００９】本考案の筒形ヒューズの組立作業では、筒両端の開口部がアルミ箔で覆われることからこれに被せられる左右の良導体金属製のカップ状キヤップと可溶体のはんだ付けにおいて、次のような効果を奏する。【００１０】アルミ箔の表面は、はんだが溶着しない素材のため良導体金属製カップ状キヤップと可溶体のはんだ付け接合時には、溶融するはんだはアルミ箔には付着せずもっぱら前記金属製カップ状キヤップの内底面と可溶体の末端部に溜まり、可溶体とアルミ箔の隙間が狭いことからこれまでのように筒内部に流れ落ちることは無くなる。【００１１】表１は、本考案の筒形ヒュ−ズの組立工程と従来の組立工程による完成品の内部を分解してはんだ付け状態の比較を示したものであるが、本考案品は、従来品のようにはんだが可溶体の根元から垂れ下がったり、筒内にはんだ屑となって混在するものは１００％生じ無いことが実証された。【００１２】これまでの組立作業においては、可溶体と金属製のカップ状キヤップを最初にはんだ付けする時点では、この間のはんだ付け状態を確認するためにまだ筒と金属製カップ状キヤップとは接着されていないのではんだ付け作業が不安定になっていたが、アルミ箔を使用することで予めこれらを接着剤で接着した状態ではんだ付けできることから作業性も安定し工程が能率化されので生産性も向上する。【００１３】
【表１】
0003120271.tif 000003
【考案を実施するための最良の形態】
【００１４】表１での分解結果から判断しても、本考案品ははんだが可溶体の根元から垂れ下がったり、筒内にはんだ屑となって混在するものが発生しないことからＸ線による非破壊検査を行う必要が無くなることから大幅なコストダウンとなることが確実である。
【実施例】
【００１５】以下、本考案の一実施例について図面を参照して説明する。
図２の（イ）において、２０は厚さ０．０１ｍｍ〜０．０５ｍｍのアルミニウム箔を巻き取りで、（ロ）は２０ａのように該当するヒューズ筒の直径より大きい寸法に切断された正方形状のアルミ箔片の斜視図である。【００１６】図３は、本考案による筒形ヒューズの組立作業の工程を斜視図により示したものであるが、同図（イ）おいて、例えばセラミック等の耐熱性絶縁材からなる筒１の一方の開口部１ａに前図１のアルミ箔片２０ａを載置させ、その上方より黄銅からなる良導体金属製カップ状キヤップ２をその内壁面にエポキシ樹脂の接着剤２１を塗布して被せ同図（ロ）のように固定する。
アルミ箔片２０ａはこれにより筒１の一方の開口部１ａを確実に覆い封止状態を維持できる。【００１７】次に同図（ロ）のように形成された金属製カップ状キヤップ２の中央の矩形口２ａの外側より板状の可溶体３の一端３ａを筒１内に挿通させその末端３ｂが矩形口２ａと同位置の状態にしてはんだ１０を溶着し接合する。【００１８】つづいて、同図（ハ）のように可溶体３の先端３ａが上方になるようして筒１の他方開口部１ｂより硅砂からなる消弧剤４を充填するとともに同図（ニ）のように可溶体３の先端３ａの上方より正方形状のアルミ箔片２０ａと内壁面にエポキシ樹脂の接着剤２１を塗布した金属製カップ状キヤップ２を被せ固定し、同図（ホ）のように可溶体３の一端３ａをはんだ１０で接合する。【００１９】図４は、以上の組立工程を経て完成された筒形ヒューズの断面図であるが、この図で示すように板状の可溶体３と両端の金属製カップ状キヤップ２との接合状態は、金属製カップ状キヤップ２の矩形穴２ａと内底面２ｂの隙間のはんだ１０の溶融で行われアルミ箔片２０ａが筒内方の間仕切りとなって流れるはんだ１０を１００％阻止し、はんだの垂れ下がり及びはんだ屑の混在は皆無となる。
【産業上の利用可能性】
【００２０】この組立作業によれば、使用される可溶体の形状が板状のものを一実施例としたが、線材及び線材と板状の複合体のようないかなる形状の可溶体を用いても筒内部へのはんだの垂れ下がり、はんだ屑の混在が防止できるから他のヒュ−ズの組立作業にも適用できる。
【図面の簡単な説明】
【００２１】
【図１】従来の筒形ヒューズの組立工程を示す斜視図
【図２】本考案の筒形ヒューズに用いるアルミ箔片の斜視図
【図３】本考案の筒形ヒューズの組立工程を示す斜視図
【図４】従来の筒形ヒューズの断面図
【図５】本考案の筒形ヒューズの断面図
【符号の説明】
【００２２】  １：筒
２：金属製のカップ状キヤップ
３：板状可溶体
４：消弧剤
１０：はんだ
２０：アルミ箔
【図１】
0003120271.tif 000004
【図２】
0003120271.tif 000005
【図３】
0003120271.tif 000006
【図４】
0003120271.tif 000007
【図５】
0003120271.tif 000008